(57)【特許請求の範囲】
【請求項１】
上方に開口部を備え断面矩形状に形成され、電線を収容する第１の部材と、上方に開口部を備え断面矩形状に形成され、電線を収容する第２の部材と、第１の部材と第２の部材とを屈曲可能に連結するヒンジとによって構成するプロテクタ本体と，
前記プロテクタ本体の開口部を閉止するものであって該プロテクタ本体と同様に構成するプロテクタカバーと，
からなるプロテクタのヒンジ構造において，
前記プロテクタ本体の前記第１の部材の前記ヒンジとの連結端部に前記ヒンジにおいて前記プロテクタ本体を折り曲げる曲げ方向に所定の距離湾曲する第１の曲面を形成すると共に，
前記プロテクタ本体の前記第２の部材の前記ヒンジとの連結端部に前記ヒンジにおいて前記プロテクタ本体を折り曲げる曲げ方向に所定の距離湾曲する第２の曲面を形成し，
前記第１の曲面及び第２の曲面は、前記第１の部材と前記第２の部材の最大曲げ角度に合わせた曲率に成形したことを特徴とするプロテクタのヒンジ構造。
【発明の詳細な説明】
【０００１】
【発明の属する技術分野】
本発明は、２つの部材の間に形成したヒンジ構造、例えば、電線保護用のプロテクタカバーの屈曲部のヒンジ構造に係り、特に、固定する側の形状に合わせてワイヤーハーネス等の電線を屈曲させて配策したプロテクタの屈曲部でプロテクタ内に収納する電線が過度の曲げ応力を受けないようにすることのできるプロテクタのヒンジ構造に関する。
【０００２】
【従来の技術】
自動車のボディに複数の電線を束ねたワイヤーハーネスを配線する場合、ワイヤーハーネスを所定の配線位置に保持して他の部材との接触を避け、ワイヤーハーネスを適宜保護する樹脂製のプロテクタが一般的に用いられている。このプロテクタは、固定側の形状に合わせて、さまざまな形態のものを用意する必要がある。ところが、それら固定側の形状に合わせた形態のものをすべて用意することは経済的でなく、例えば、中間部分で直角に屈曲させるようなものの場合は、ヒンジ部を設け、そのヒンジ部で屈曲させることで対応することができる。このように中間部分で直角に屈曲した形状で一面に開放側面を覆い被せる蓋状のプロテクタカバーとからなる実開昭６３−１７５１０号公報、実開昭６４−６７１９号公報で開示された従来のプロテクタは図７に示す如き構成を有している。
【０００３】
図において、プロテクタ１は、上方が開口され途中が固定側の形状に合わせて、例えば、略Ｌ字状に屈曲形成されて、電線（例えば、ワイヤーハーネス）２が収容されるプロテクタ本体３と、このプロテクタ本体３の開口部４を閉止するプロテクタカバー５とで構成されている。
このプロテクタ本体３は、底部７とこの底部７の両側部に立設された一対の側壁８、９とからなる第１収納部１０と、底部１１とこの底部１１の両側部に立設された側壁１２、１３とからなる第２収納部１４と、この第１収納部１０と第２収納部１４を屈曲可能に連結するヒンジ１５とによって構成されている。また、プロテクタカバー５は、プロテクタ本体３を閉止するためのもので、蓋部１６とこの蓋部１６の両側部に立設された一対の側壁１７，１８とからなり第１収納部１０を閉止する第１カバー部１９と、蓋部２０とこの蓋部２０の両側部に立設された側壁２１、２２とからなり第２収納部１４を閉止する第２カバー部２３と、第１カバー部１９と第２カバー部２３を屈曲可能に連結するヒンジ２４とによって構成されている。
【０００４】
このように構成されたプロテクタ１は、まず、プロテクタ本体３を固定する固定部材に沿って図７に示すように取り付ける。そして、プロテクタ本体３内にプロテクタ本体３に沿わせてワイヤーハーネス（電線）２を収容し、図示してない第１カバー部１９の側壁１７、１８に設けられた係合爪を、図示してない第１収納部１０のロック部に差し込むようにして嵌合する。この嵌合によって第１カバー部１９が第１収納部１０を塞ぐ状態に係止される。この第一段階の係止によってプロテクタ本体３の半分がプロテクタカバー５によって覆われた状態になる。
次に、第２カバー部２３をヒンジ２４の部分で曲げるようにして、第２収納部１４の方向へ回動させる。そして、図示してない第２カバー部２３の側壁２１、２２に設けられた係合爪を、図示してない第２収納部１４のロック部に差し込むように嵌合する。この嵌合によって第２カバー部２３が第２収納部１４を塞ぐ状態に係止される。この第二段階の係止によって、第２カバー部２３と第２収納部１４との組み込みが終り、プロテクタ本体３の残りの半分がプロテクタカバー５によって覆われプロテクタ１の組み立てが完了する。
【０００５】
【発明が解決しようとする課題】
このようにプロテクタを固定する側の形状に合わせて屈曲させて配策し、このプロテクタに合わせて電線を配策すると、従来のヒンジ構造では、図８に示す如く、屈曲部の曲げが、ヒンジ１５だけであるため、曲げＲが小さく、ヒンジ１５と底部７、１１との連結部でワイヤーハーネスが曲げ側と反対側に突っ張って、ワイヤーハーネスに過度の曲げ応力が掛かるという問題がある。
【０００６】
本発明の目的は、固定する側の形状に合わせ屈曲させて配設した部材に収納した電線が屈曲部で過度の曲げ応力を受けないようにすることにある。
【０００７】
【課題を解決するための手段】
上記目的を達成するために、請求項１に記載のプロテクタのヒンジ構造は、上方に開口部を備え断面矩形状に形成され、電線を収容する第１の部材と、上方に開口部を備え断面矩形状に形成され、電線を収容する第２の部材と、第１の部材と第２の部材とを屈曲可能に連結するヒンジとによって構成するプロテクタ本体と，
前記プロテクタ本体の開口部を閉止するものであって該プロテクタ本体と同様に構成するプロテクタカバーと，
からなるプロテクタのヒンジ構造において，
前記プロテクタ本体の前記第１の部材の前記ヒンジとの連結端部に前記ヒンジにおいて前記プロテクタ本体を折り曲げる曲げ方向に所定の距離湾曲する第１の曲面を形成すると共に，
前記プロテクタ本体の前記第２の部材の前記ヒンジとの連結端部に前記ヒンジにおいて前記プロテクタ本体を折り曲げる曲げ方向に所定の距離湾曲する第２の曲面を形成し，
前記第１の曲面及び第２の曲面は、前記第１の部材と前記第２の部材の最大曲げ角度に合わせた曲率に成形して構成したものである。
このように構成することにより請求項１に記載の発明によると、固定する側の形状に合わせ屈曲させて配設したプロテクタに収納した電線が屈曲部で過度の曲げ応力を受けるのを防止することができる。
【０００９】
このようにプロテクタのヒンジ構造は、底部の両側部に立設して形成する側壁を備え、一面が開放された開口部を有し、適宜箇所に１又は２以上の屈曲部を形成し、該屈曲部の底部間にヒンジを設けてなるプロテクタ本体と、該プロテクタ本体に対応する形状で、蓋部の両側部に立設して形成する側壁を備え、一面が開放された開口部を有し、適宜箇所に１又は２以上の屈曲部を形成し、該屈曲部の蓋部間にヒンジを設けてなり、前記プロテクタ本体の開口部を閉じるプロテクタカバーとからなるプロテクタで、プロテクタ本体の底部に、この底部のヒンジ形成端部から所定距離、開口部側に突出するような曲面を、１又は２以上形成して構成するものである。
このように構成することにより、固定する側の形状に合わせ屈曲させて配設したプロテクタに収納した電線が屈曲部で過度の曲げ応力を受けないようにすることができる。
【００１０】
このようにプロテクタのヒンジ構造は、底部の両側部に立設して形成する側壁を備え、一面が開放された開口部を有し、適宜箇所に１又は２以上の屈曲部を形成してなるプロテクタ本体と、該プロテクタ本体に対応する形状で、蓋部の両側部に立設して形成する側壁を備え、一面が開放された開口部を有し、適宜箇所に１又は２以上の屈曲部を形成し、該屈曲部の蓋部間にヒンジを設けてなり、前記プロテクタ本体の開口部を閉じるプロテクタカバーとからなるプロテクタで、プロテクタカバーの蓋部に、この蓋部のヒンジ形成端部から所定距離、開口部側に突出するような曲面を、１又は２以上形成して構成するものである。
このように構成することにより、固定する側の形状に合わせプロテクタカバー側に屈曲させて配設したプロテクタに収納した電線が屈曲部で過度の曲げ応力を受けないようにすることができる。
【００１１】
【発明の実施の形態】
以下、本発明に係るヒンジ構造の実施の形態について説明する。この本発明に係るヒンジ構造としては、プロテクタのヒンジ構造を例にとって説明する。
【００１２】
図１には、本発明に係るプロテクタのヒンジ構造を備えたプロテクタが示されている。
【００１３】
図において、プロテクタ１は、電線（例えば、ワイヤーハーネス）を収容するプロテクタ本体３と、このプロテクタ本体３の開口部４を閉止するプロテクタカバー５とによって構成されている。そして、プロテクタ本体３は、断面矩形状に形成され、上方に開口部４が形成される筒状に、ストレートに成形されている。このプロテクタ本体３は、底部７とこの底部７の両側部に立設された一対の側壁８、９とからなる第１収納部１０と、底部１１とこの底部１１の両側部に立設された側壁１２、１３とからなる第２収納部１４とを有し、この第１収納部１０と第２収納部１４とは、ヒンジ１５によって屈曲可能に連結されている。
【００１４】
また、プロテクタ本体３の第１収納部１０の底部７は、図２に示す如く、ヒンジ１５との連結端部２５から所定距離、開口部４側に突出するような曲面２６が形成されている。この曲面２６は、第１収納部１０と第２収納部１４の曲げる角度が予め判っていれば、その曲げる角度に応じた適度な曲率に予め成形しておくことができる。また、この曲面２６は、第１収納部１０と第２収納部１４の最大曲げ角度（例えば、９０°）に合わせた曲率にしておくことで全ての曲げる角度に対応することができる。
また、プロテクタ本体３の第２収納部１４の底部１１は、図２に示す如く、ヒンジ１５との連結端部２７から所定距離、開口部４側に突出するような曲面２８が形成されている。この曲面２８は、第１収納部１０と第２収納部１４の曲げる角度が予め判っていれば、その曲げる角度に応じた適度な曲率に予め成形しておくことができる。また、この曲面２６は、第１収納部１０と第２収納部１４の最大曲げ角度（例えば、９０°）に合わせた曲率にしておくことで全ての曲げる角度に対応することができる。
なお、曲面２６、２８は、図１及び図２では、第１収納部１０と第２収納部１４のそれぞれに設けているが、必ずしも第１収納部１０と第２収納部１４の両方に設ける必要はなく、第１収納部１０又は第２収納部１４のいずれかに設けるのでもよい。
【００１５】
また、プロテクタカバー５は、プロテクタ本体３を閉止するためのもので、蓋部１６とこの蓋部１６の両側部に立設された一対の側壁１７，１８とからなり第１収納部１０を閉止する第１カバー部１９と、蓋部２０とこの蓋部２０の両側部に立設された側壁２１、２２とからなり第２収納部１４を閉止する第２カバー部２３と、第１カバー部１９と第２カバー部２３を屈曲可能に連結するヒンジ２４とによって構成されている。
【００１６】
このように構成されたプロテクタ１は、まず、プロテクタ本体３の第１収納部１０の底部７又はプロテクタ本体３の第２収納部１４の底部１１を固定する（本実施の形態では、プロテクタ本体３の第１収納部１０の底部７を固定している）。そして、プロテクタ本体３の第２収納部１４の底部１１又はプロテクタ本体３の第１収納部１０の底部７（本実施の形態では、プロテクタ本体３の第２収納部１４の底部１１）を固定部材（図示していない）の形状に沿って、図２に示す如く、矢印Ａに示す方向に曲げると、図３（Ａ）に示す位置に曲がり、さらに矢印Ｂに示す方向に曲げると、図３（Ｂ）に示す位置に曲がる。さらに、図３（Ｂ）に示す位置から矢印Ｃに示す方向に曲げると、図３（Ｃ）に示す位置にまで曲がり、さらに矢印Ｄに示す方向に曲げると、図３（Ｄ）に示す直角に曲がった位置に曲がる。
【００１７】
この状態でプロテクタ本体３に電線（ワイヤーハーネス）２を収容すると、図４に示す如く、プロテクタ本体３の第１収納部１０に収納され、ヒンジ１５の部分で曲げられたワイヤーハーネス２は、第１収納部１０の底部７に形成された曲面２６によって少し押し上げられ、ワイヤーハーネス２の曲げが緩やかになり、さらにヒンジ１５によって下支えされ、ワイヤーハーネス２の曲げが急になることが防止されている。更に、ワイヤーハーネス２を曲げて第２収納部１４に収納すると、ワイヤーハーネス２は、第２収納部１４の底部１１に形成された曲面２８によって少し押し上げられワイヤーハーネス２の曲げが緩やかになる。
プロテクタ本体３に電線（ワイヤーハーネス）２を収容すると、図５に示す状態になる。すなわち、プロテクタ本体３の第１収納部１０に収納されたワイヤーハーネス２は、第１収納部１０の底部７に形成された曲面２６によって少し押し上げられ、さらにヒンジ１５によって下支えされ、第２収納部１４の底部１１に形成された曲面２８によって少し押し上げられた状態に収納されている。
【００１８】
このように、第１収納部１０の底部７に曲面２６を形成し、第２収納部１４の底部１１に曲面２８を形成しているため、ワイヤーハーネス２の曲げを大きくすることができ（ワイヤーハーネス２の曲げを緩やかにすることができ）ワイヤーハーネス２の屈曲部で突っ張るのを防止することができ、ワイヤーハーネス２が屈曲部で過度の曲げ応力を受けるのを防止することができる。さらに、ワイヤーハーネス２の屈曲部で突っ張りが防止され、ワイヤーハーネス２の曲げが緩やかにできるため、ヒンジ１５の屈曲部の見栄えを良くすることができる。
また、プロテクタ本体３は、断面矩形状に形成され、上方に開口部４が形成される筒状に、ストレートに成形してあるため、射出成形で製造する場合、１回で形を抜くことができ、金型のコストダウンを図り、プロテクタの製造性を向上することができる。
【００１９】
図６には、本発明に係るヒンジ構造として、プロテクタのヒンジ構造の別な実施の形態が示されている。
本実施の形態は、ヒンジ１５の屈曲部において、プロテクタ本体３を開口部４が内側になるように曲げる場合の例である。すなわち、プロテクタ本体３をヒンジ１５の屈曲部において屈曲する場合、図５に示す如く曲げるとは限らず、図６に示す如くプロテクタ本体３を開口部４が内側になるように曲げる場合がある。このような場合に、プロテクタ本体３にワイヤーハーネス２を収容しても、ヒンジ１５の屈曲部でワイヤーハーネス２の曲げの曲率を決定するのは、プロテクタ本体３ではなく、ワイヤーハーネス２の曲げの内側に当接するプロテクタカバー５によってである。そこで、本実施の形態は、プロテクタカバー５の第１カバー部１９の蓋部１６と、第２カバー部２３の蓋部２０に開口部側に突出するような曲面３２、３４を形成したものである。
【００２０】
すなわち、プロテクタ１は、電線（例えば、ワイヤーハーネス）を収容するプロテクタ本体３と、このプロテクタ本体３の開口部４を閉止するプロテクタカバー５とによって構成されている。そして、プロテクタ本体３は、断面矩形状に形成され、上方に開口部４が形成される筒状に、ストレートに成形されている。そして、このプロテクタ本体３は、底部７とこの底部７の両側部に立設された一対の側壁８、９とからなる第１収納部１０と、底部１１とこの底部１１の両側部に立設された側壁１２、１３とからなる第２収納部１４とを有し、この第１収納部１０と第２収納部１４とは、ヒンジ１５によって屈曲可能に連結されている。
この側壁８のヒンジ１５側の端部２９及び側壁１２のヒンジ１５側の端部３０は、ヒンジ１５から離れる方向に所定角度の傾斜をもって切り欠かれている。これは、プロテクタ本体３を図６に示す如くヒンジ部で曲げた場合に、側壁８と側壁１２が、また、側壁９と側壁１３が当たらないようにするためのものである。同様に、側壁９のヒンジ１５側の端部及び側壁１３のヒンジ１５側の端部も、ヒンジ１５から離れる方向に所定角度の傾斜をもって切り欠かれている。
【００２１】
また、プロテクタカバー５は、プロテクタ本体３を閉止するためのもので、断面矩形状に形成され、開口部が形成される筒状に、ストレートに成形されている。そして、このプロテクタカバー５は、蓋部１６とこの蓋部１６の両側部に立設された一対の側壁１７，１８とからなり第１収納部１０を閉止する第１カバー部１９と、蓋部２０とこの蓋部２０の両側部に立設された側壁２１、２２とからなり第２収納部１４を閉止する第２カバー部２３と、第１カバー部１９と第２カバー部２３とを有し、この第１カバー部１９と第２カバー部２３とは、ヒンジ２４によって屈曲可能に連結されている。
【００２２】
また、プロテクタカバー５の第１カバー部１９の蓋部１６は、図６に示す如く、ヒンジ２４との連結端部３１から所定距離、開口部側に突出するような曲面３２が形成されている。この曲面３２は、第１カバー部１９と第２カバー部２３の曲げる角度が予め判っていれば、その曲げる角度に応じた適度な曲率に予め成形しておくことができる。また、この曲面３２は、第１カバー部１９と第２カバー部２３の最大曲げ角度（例えば、９０°）に合わせた曲率にしておくことで全ての曲げる角度に対応することができる。
また、プロテクタカバー５の第２カバー部２３の蓋部２０は、図６に示す如く、ヒンジ２４との連結端部３３から所定距離、開口部側に突出するような曲面３４が形成されている。この曲面３４は、第１カバー部１９と第２カバー部２３の曲げる角度が予め判っていれば、その曲げる角度に応じた適度な曲率に予め成形しておくことができる。また、この曲面３４は、第１カバー部１９と第２カバー部２３の最大曲げ角度（例えば、９０°）に合わせた曲率にしておくことで全ての曲げる角度に対応することができる。
なお、曲面３２、３４は、図６では、第１カバー部１９と第２カバー部２３のそれぞれに設けているが、必ずしも第１カバー部１９と第２カバー部２３の両方に設ける必要はなく、第１カバー部１９又は第２カバー部２３のいずれかに設けるのでもよい。
【００２３】
このワイヤーハーネス２を収容した状態でプロテクタ本体３にプロテクタカバー５をすると、プロテクタ本体３の第１収納部１０に収納され、ヒンジ２４の部分で曲げられたワイヤーハーネス２は、第１カバー部１９の蓋部１６に形成された曲面３２によって少し押し上げられ、ワイヤーハーネス２の曲げが緩やかになり、さらにヒンジ２４によって下支えされ、ワイヤーハーネス２の曲げが急になることが防止されている。更に、第２収納部１４に収納されたワイヤーハーネス２は、第２カバー部２３の蓋部２０に形成された曲面３４によって少し押し上げられワイヤーハーネス２の曲げが緩やかになる。
このように、第１カバー部１９の蓋部１６に曲面３２を形成し、第２カバー部２３の蓋部２０に曲面３４を形成しているため、ワイヤーハーネス２の曲げを大きくすることができ（ワイヤーハーネス２の曲げを緩やかにすることができ）ワイヤーハーネス２の屈曲部で突っ張るのを防止することができ、ワイヤーハーネス２が屈曲部で過度の曲げ応力を受けるのを防止することができる。さらに、ワイヤーハーネス２の屈曲部で突っ張りが防止され、ワイヤーハーネス２の曲げが緩やかにできるため、ヒンジ２４の屈曲部の見栄えを良くすることができる。
また、プロテクタカバー５は、断面矩形状に形成され、上方に開口部が形成される筒状に、ストレートに成形してあるため、射出成形で製造する場合、１回で形を抜くことができ、金型のコストダウンを図り、プロテクタの製造性を向上することができる。
【００２４】
【発明の効果】
本発明は、以上説明したように構成されているので、以下に記載されるような効果を奏する。
【００２５】
請求項１に記載の発明によれば、固定する側の形状に合わせ屈曲させて配設した部材に収納した電線が屈曲部で過度の曲げ応力を受けるのを防止することができる。
【図面の簡単な説明】
【図１】本発明に係るプロテクタのヒンジ構造の実施の形態を示すプロテクタの組立斜視図である。
【図２】図１に図示のプロテクタ本体の部分拡大図である。
【図３】図１に図示のプロテクタ本体の屈曲していく状態を示す図である。
【図４】図３に図示の屈曲したプロテクタ本体にワイヤーハーネスを収納した状態を示す図である。
【図５】図３に図示の屈曲したプロテクタ本体にワイヤーハーネスを収納した状態を示すプロテクタの組立斜視図である。
【図６】本発明に係るプロテクタのヒンジ構造の別な実施の形態を示すプロテクタの組立斜視図である。
【図７】従来のプロテクタのヒンジ構造を示すプロテクタの組立斜視図である。
【図８】図７に図示のプロテクタ本体の部分拡大図である。
【符号の説明】
１………………………プロテクタ
２………………………ワイヤーハーネス
３………………………プロテクタ本体
４………………………開口部
５………………………プロテクタカバー
７………………………底部
８，９…………………側壁
１０……………………第１収納部
１１……………………底部
１２，１３……………側壁
１４……………………第２収納部
１５……………………ヒンジ
１６……………………蓋部
１７，１８……………側壁
１９……………………第１カバー部
２０……………………蓋部
２１，２２……………側壁
２３……………………第２カバー部
２４……………………ヒンジ
２５……………………連結端部
２６……………………曲面
２７……………………連結端部
２８……………………曲面
３１……………………連結端部
３２……………………曲面
３３……………………連結端部
３４……………………曲面
【図１】
0003739074.tif 000002
【図２】
0003739074.tif 000003
【図３】
0003739074.tif 000004
0003739074.tif 000005
【図４】
0003739074.tif 000006
【図５】
0003739074.tif 000007
【図６】
0003739074.tif 000008
【図７】
0003739074.tif 000009
【図８】
0003739074.tif 000010